Podtech/llm-jp-corpus-v4-ja_patent huggingface dataset:
(57)【要約】      （修正有）【課題】犬が“伏せ”をした場合に腰部を落とすことができる犬用車椅子を提供する。【解決手段】犬用車椅子の車輪４の位置を変更できるようにフレームを加工し、チーズ継手２に切欠きを設け、切欠きに車輪を組み付けたパイプが入り込む構造の車輪可動部を設けてフレームを折りたためる構造とした。これにより車高を低くすることが可能となり犬が“伏せ”をした場合に腰部を落とすことが可能となる。【選択図】図１
0003209674.tif 000002
【実用新案登録請求の範囲】
【請求項１】
フレームに加工を施し、犬が“伏せ”をしたときに腰の部分も低く落とせるように、可動式としたことを特徴とする犬用車椅子。
【請求項２】
フレームの加工方法、組付け方法または作動構造を特徴とする請求項１に記載の犬用車椅子。
【考案の詳細な説明】
【技術分野】
【０００１】  この考案は、犬用車椅子（ポリ塩化ビニルパイプ製）の構造に関する。
【背景技術】
【０００２】  従来の犬用車椅子は車輪の固定されたフレームは可動部が存在せず、犬が“伏せ”をした場合にちょうど腰の位置にあたる後部車輪の高さは固定されていた。
このために、“伏せ”をした場合に腰部は落とすことができなかった。
【考案の概要】
【考案が解決しようとする課題】
【０００３】  本考案は犬が“伏せ”をした場合に、腰部も落とすことができる犬用車椅子を提供する。
【課題を解決するための手段】
【０００４】  以上の課題を解決するためにフレームの構造を変更し、犬が“伏せ”をした場合に車椅子後部の車輪の位置を変更できるようにすることで前記課題を解決する。
構造の変更についてはチーズ継手に切欠きを設け、そこへ車輪の組み付けられたパイプが入り込む構造とすることで車椅子の高さを変えることができる。
また、通常はバックルにより固定されており、車高を変更したい場合はバックルを解放する。
【考案の効果】
【０００５】  通常犬が“伏せ”の状態をとるときは前足同様、後足も曲げて腰を落としている。
犬用車椅子を使用する犬の病状として変遷性脊髄症や椎間板ヘルニアが多いことから、脊椎や腰椎への負荷は可能な限り軽減されるべきである。
既存の犬用車椅子では犬が“伏せ”をした場合に前足を曲げて胸部は接地するが、腰部が落とせないことで脊椎や腰椎に負担が掛かる。
本考案により犬が車椅子を使用する際、“伏せ”をした場合に腰部も落とすことが可能となるため、上記のような負荷を軽減できることが期待できる。
また、上記病状のリハビリを目的とした利用の促進にもつながる。
【図面の簡単な説明】
【図１】本考案の一実施形態を示す側面図である。
【図２】犬が立っている場合の本考案の側面図である。
【図３】従来の犬用車椅子の側面図である。
【図４】本考案のＡ部を拡大した側面図である。
【図５】本考案のＡ部を拡大した正面図である。
【符号の説明】  １塩ビパイプ（呼び径１３ｍｍ）
２チーズ継手
３バックル
４車輪
５ＰＰベルト
６Ｍ３トラスタッピングネジ
Ａ本考案の実施個所
【考案を実施するための形態】
【０００６】  以下、本考案の形態を示す図面に基づき説明する。
【０００７】  図１に示す如く、犬が“伏せ”をした場合の車椅子の側面図。車高が低くなるため腰部を落とすことが可能となる。
【０００８】  図２に示す如く、犬が立っている場合の車椅子の側面図。フレームの横に備え付けたバックルにより固定。
【図１】
0003209674.tif 000003
【図２】
0003209674.tif 000004
【図３】
0003209674.tif 000005
【図４】
0003209674.tif 000006
【図５】
0003209674.tif 000007
【手続補正書】
【提出日】平成29年1月18日(2017.1.18)
【手続補正１】
【補正対象書類名】実用新案登録請求の範囲
【補正対象項目名】全文
【補正方法】変更
【補正の内容】
【実用新案登録請求の範囲】
【請求項１】
チーズ継手に切欠きを設け、前記切欠きに車輪を組み付けたパイプが入り込む構造を有する犬用車椅子。
(57)【要約】      （修正有）【課題】まだ使える色が一目でわかり、無駄を防ぎ最後まで使いきることができる多色ボールペンを提供する。【解決手段】インク切れ表示機能を備えた多色ボールペンであって、２色、３色、４色と種類毎にシールを作り、それぞれの色のシールをボールペン本体に貼り、インクが切れたらその色のシールを剥す。シールに残っている色がまだ使える色のボールペンとして一目でわかる。【選択図】図１
0003209667.tif 000002
【実用新案登録請求の範囲】
【請求項１】
多色ボールペンのインク切れ表示シール
【考案の詳細な説明】
【技術分野】
【０００１】  本考案は、多色ボールペンのインク切れを表示するために、ボールペン本体に貼るシールに関するものである。
【背景技術】
【０００２】  多色ボールペンは、先に無くなったインクの識別がしにくく、実際に紙に書いてみないとわからない。
【考案の概要】
【考案が解決しようとする課題】
【０００３】無駄押しを防ぐ。最後まで使い切る。
【課題を解決するための手段】
【０００４】一目でわかるようなシールにする。
【考案の効果】
【０００５】まだ使える色が、一目でわかる。
【図面の簡単な説明】
【０００６】
【図１】４色ボールペンを例に示す。３色ボールペンは３色のシールとなる。
【考案を実施するための形態】
【０００９】多色ボールペンに「インク切れ表示シール付」として販売する。
又は、シールのみを販売する。
【図１】
0003209667.tif 000003
【手続補正書】
【提出日】平成29年1月20日(2017.1.20)
【手続補正１】
【補正対象書類名】実用新案登録請求の範囲
【補正対象項目名】全文
【補正方法】変更
【補正の内容】
【実用新案登録請求の範囲】
【請求項１】
インク切れ表示機能を備えた多色ボールペンであって，ボールペン本体の一部にインク切れ表示シールを貼り付けており、前記インク切れ表示シールの色は、多色ボールペンの複数のインクの色に対応しており、前記インク切れ表示シールは、それぞれの色を個別に剥すことが可能であることを特徴とするインク切れシール付多色ボールペン。
(57)【要約】      （修正有）【課題】鞄体又はバッグ体を保管する際に用いる、型くずれ防止、抗菌、防カビ及び防湿の機能を発揮する詰め物を提供する。【解決手段】詰め物３の素材は和紙体であり、詰め物形状Ｂは、特定の鞄体１又はバッグ体２の形状と一対となるような、一定の所要形状Ｂであり、詰め物３の外観は、特定の鞄体１又はバッグ体２の外観と比較して、同色あるいは同柄、又は、同色で且つ同柄である。【選択図】図１
0003209668.tif 000002
【実用新案登録請求の範囲】
【請求項１】
鞄体、バッグ体の詰め物の型くずれ防止、抗菌、防カビ、防湿において、前記詰め物は、和紙体でもって所要形状に形成し、該所要形状を前記鞄体、バック体が、同色・同柄で形成され、該鞄体、バッグ体の中の詰め物は、鞄、バッグ体と１対の型くずれ防止、抗菌、防カビ、防湿具。
【請求項２】
鞄体、バッグ体の中の詰め物を和紙でひよこの所要形状にし、該鞄体、バッグ体と同色・同柄であれ、両体が１対である実用新案登録請求範囲、第１項記載の鞄体、バッグ体と１対の型くずれの防止、抗菌、防カビ、防湿具。
【請求項３】
鞄体、バッグ体を和紙を用いたおむすびの所要形状に形成し、該鞄体、バッグ体を同色・同柄に形成し、両体が１対である実用新案登録請求範囲記載の鞄体、バッグ体と１対の型くずれの防止、抗菌、防カビ、防湿具。
【請求項４】
鞄体、バッグ体が和紙で、クッションの所要形状に形成され、該鞄体、バッグ体と同色・同柄であり、両体が１対である実用新案登録請求の範囲第１項記載の鞄体、バッグ体と１対の型くずれ防止、抗菌、防カビ、防湿具。
【考案の詳細な説明】
【技術分野】
【０００１】本考案は、鞄、バッグの中の詰め物は、鞄、バッグと１対にした型くずれ防止、抗菌、防カビ、防湿具に関する。
【背景技術】
【０００２】従来、鞄、バッグの型くずれ防止、又は予防のための保管方法としては、紙などを詰めて形を整えていた。【０００３】鞄、バッグを変えるたびに、中の詰め物を外に出して使用していた。それのほとんどが使い捨ての紙だった。そのつど新聞紙などを丸めて、形を適当に整えて中に詰めていた。【０００４】鞄、バッグをいろいろ変えて使っている内に、忙しい時などは新聞紙で丸めた塊が室内に散乱して大変。その塊がどのバッグのものだかわからなくなる。【０００５】しかし、詰め物をきちんと型に作って入れておかないと、形はくずれ、湿気もきて、カビは出るし、どんな高級品でも駄目になる。世界の有名一流ブランドのバッグ、鞄でさえ、中の詰め物は紙である。それも、みな使い捨てである。以上に述べたように、幾多の欠点があり、その欠点を克服する技術が切望されていた。
【考案の概要】
【考案が解決しようとする課題】
【０００６】上記技術においては、次に述べる幾多の欠点があった。鞄、バッグの型くずれ防止、又は予防のための保管の仕方としては、紙などを詰めて形を整えていた。鞄、バッグを変えるたびに中の詰め物を外に出して使用し、それはほとんどが、使い捨ての紙であった。【０００７】その都度、新聞紙などを丸めて、形を適当に整えて、中に詰めていた。鞄、バッグをいろいろと変えて使っている内に、忙しい時などは、新聞紙で丸めて、塊が室内に散乱、どの塊がどの鞄、バッグのものだったかがわからない。【０００８】しかし、詰め物をきちんと型に作って入れておかないと、形値はくずれ、湿気もきて、カビが生える等の幾多の欠点があった。【０００９】本考案は、上記の欠点を除くことと、環境及び、エコ対策を目的とするものである。
【課題を解決するための手段】
【００１０】本考案は、鞄、バッグの詰め物の型くずれ防止、抗菌、防カビ、防湿において、詰め物は和紙体とし、所要形状に形成し、該所要形状Ｂを前記鞄体、バック体と同色・同柄体Ａで形成され、該それぞれの鞄体、バック体と１対にした構成とする。【００１１】次に、鞄体、バッグ体がひよこの所要形状Ｂであり、鞄体、バッグ体と同色・同柄であり、鞄体、バッグ体と同色・同柄であり、両体が１対の構成である。【００１２】次に、鞄体、バッグ体がおむすびの所要形状Ｂであり、かつ鞄体、バッグ体と同色・同柄Ａである。その両体が１対の構成体である。【００１３】次に、鞄体、バッグ体がクッションの所要形状Ｂであり、かつ鞄体、バッグ体と同色・同柄Ａであり、両体が１対の構成体である。
【考案の効果】
【００１４】上述の様に、本考案の鞄体、バッグ体の中の詰め物は、両体１対として構成のものである。鞄体、バッグ体の詰め物を和紙で型くずれしない具象形態化した。【００１５】本考案は、前述の構成作用により、鞄体、バッグ体の型くずれ防止と、品質の良い和紙を用い、それによって品格も上がり、鞄やバッグと同色・同柄だと、保存、保管を間違えず管理ができる。幾多の効果がある。
【図面の簡単な説明】
【００１６】
【図１】は、本考案の鞄体、バッグ体の１実施例を示す説明図である。
【考案を実施するための形態】
【００１７】以下、添付図面に従って本考案の１実施例を説明する。
【００１８】鞄１、バッグ２の詰め物の型くずれ防止において、前記詰め物３は、和紙体４を用いて所要形状Ｂに形成する。該所要形状Ｂを、鞄体１、バッグ体２を同色・同柄体Ａすることによって、整理と保管が容易になる。該両鞄体、バッグ体と１対化した。
【００１９】鞄体１とバッグ体２の中の詰め物３は、良質な和紙で同色・同柄にして、１対の構成とした本考案の構成である。
【００２０】本考案の鞄体１とバッグ体の中の詰め物３の所要形状を、ひよこ体、おむすび体、クッションに形態化する。
【００２１】該形状化した、鞄体１、バッグ体を同色・同柄体Ａとした。同色・同柄の物だと、保存、保管する時に間違いが生じない。
【００２２】上記構成とした所要形状の詰め物のひよこ体、おむすび体、クッション体の構成として、本考案の欠点を解決したのが本考案である。
【図１】
0003209668.tif 000003
【手続補正書】
【提出日】平成29年1月17日(2017.1.17)
【手続補正１】
【補正対象書類名】実用新案登録請求の範囲
【補正対象項目名】全文
【補正方法】変更
【補正の内容】
【実用新案登録請求の範囲】
【請求項１】
特定の鞄体又はバッグ体を保管する際に用いる、型くずれ防止、抗菌、防カビ及び防湿の機能を発揮する詰め物であって、前記詰め物の素材は和紙体であり、前記詰め物形状は、前記特定の鞄体又はバッグ体の形状と一対となるような、一定の所要形状であり、前記詰め物の外観は、前記特定の鞄体又はバッグ体の外観と比較して、同色あるいは同柄、又は、同色で且つ同柄であることを特徴とする、詰め物。
【請求項２】
前記詰め物の形状及び外観は、全体としてひよこを模した形態であることを特徴とする、請求項１に記載の詰め物。
【請求項３】
前記詰め物の形状及び外観は、全体としておむすびを模した形態であることを特徴とする、請求項１に記載の詰め物。
【請求項４】
前記詰め物の形状及び外観は、ぜんたいとして平坦なクッションを模した形態であることを特徴とする、請求項１に記載の詰め物。
(57)【要約】      （修正有）【課題】セルフ式ガソリンスタンドの利用者が低価格で入手が可能である、油汚れ防止用の補助具セットを提供する。【解決手段】補助具セットは、吸油性の素材より成るウエス１と、耐油性の素材より成るグローブ２によって構成され、グローブ２を収納するためのポリ袋３と、使用済みのウエス１を収納するためのポリ袋４が含まれる。【選択図】図１
0003209612.tif 000002
【実用新案登録請求の範囲】
【請求項１】
セルフ式ガソリンスタンドの利用者が給油時に使用する油汚れ防止用の補助具セットであって、
吸油性の素材より成るウエスと、
耐油性の素材より成るグローブと、
によって構成される補助具セット。
【請求項２】
前記補助具セットには、
前記グローブを収納するためのポリ袋と、
使用済みの前記ウエスを収納するためのポリ袋と、
が含まれることを特徴とする請求項１記載の補助具セット。
【考案の詳細な説明】
【技術分野】
【０００１】
本考案は、セルフ式ガソリンスタンドで自動車に給油を行う際に使用する油汚れ防止用の補助具セットに関する。
【背景技術】
【０００２】
セルフ式ガソリンスタンでは、給油時に利用者が使用する油こぼれ用のウエス（拭き取り用の布／紙）を設置しているところが多い。
【考案の概要】
【考案が解決しようとする課題】
【０００３】
セルフ式ガソリンスタンドで、給油に不慣れな利用者が給油を行った場合に、ガソリン等が溢れ出したり、こぼれたりすることがある。とくに、軽油（ディーゼル）については、揮発性の低い燃料であるため、給油ノズルを持った時点で手に軽油が付着することが多く、この場合、石鹸を使用して洗い流さなければ油分と異臭が取れない。
【０００４】
先に述べたように、油こぼれについてはウエスを設置している店舗が多いが、上述した軽油の給油ノズルの油分付着に対する対策は、ほとんど取られていないのが現状である。また、トイレ等に石鹸が設置されている店舗も見られるが、給油する毎に石鹸を使用する手洗いを許すことは、節水や環境の観点から問題がある。
【０００５】
上記の理由から、セルフ式ガソリンスタンドでの給油の際には、利用者自らが事前に、油汚れ防止用の補助具を準備しておくことが、利用者にとっても、また環境保護の観点からも望ましい。
【０００６】
上述の問題に鑑み、本考案においては、セルフ式ガソリンスタンドの利用者が低価格で入手が可能である、油汚れ防止用の補助具セットを提供することを課題とする。
【課題を解決するための手段】
【０００７】
上記課題を解決するために、請求項１に記載の補助具セットは、セルフ式ガソリンスタンドの利用者が給油時に使用する油汚れ防止用の補助具セットであって、吸油性の素材より成るウエスと、耐油性の素材より成るグローブとによって構成される。
【０００８】
さらに、請求項２に記載の補助具セットは、前記請求項１に記載の補助具セットに、前記グローブを収納するためのポリ袋と、使用済みの前記ウエスを収納するためのポリ袋が含まれることを特徴とする。
【考案の効果】
【０００９】
本考案に係る補助具セットを使用することにより、給油時に手に油分が付着するのを未然に防ぎ、不要に手洗いを行わなくて済む。また、これによって節水の効果も生じる。さらに、グローブは再使用が可能なため、ゴミの発生も抑制することができる。
【図面の簡単な説明】
【００１０】
【図１】本実施形態の補助具セットの構成を示す写真である。
【図２】本実施形態の補助具セットのウエスの写真である。
【図３】本実施形態の補助具セットのグローブの写真である。
【図４】グローブを収納するためのポリ袋と、使用済みのウエスを収納するためのポリ袋の写真である。
【考案を実施するための形態】
【００１１】
以下、本考案に係る油汚れ防止用の補助具セットの実施形態について図を用いて説明する。本実施形態の助具セットは請求項２記載の補助具セットであって、図１に示すように、ウエス１、グローブ２、グローブ収納用ポリ袋３及び使用済みペーパーウエス収納用ポリ袋４によって構成される。
【００１２】
本実施形態においては、ウエス１は図２に示すように３枚の紙から成るが、販売時には重層の状態で供給される。ウエス１はパルプ１００％の吸油性に優れるペーパーウエスであり、それゆえグローブの油汚れを最小限にするため、そのまま重ねて使用することが望ましい。
【００１３】
図３に示すグローブ２は、静電気を発生しない厚手のニトリルグローブであって、再利用が可能となっている。
【００１４】
図３は、グローブ収納用ポリ袋３と、使用済みウエス収納用ポリ袋４を示す。両者ともチャック付きで、油分が外に漏れない構造になっている。
【符号の説明】
【００１５】
１  ウエス
２  グローブ
３  グローブ収納用ポリ袋
４  使用済みペーパーウエス収納用ポリ袋
【図１】
0003209612.tif 000003
【図２】
0003209612.tif 000004
【図３】
0003209612.tif 000005
【図４】
0003209612.tif 000006
(57)【要約】      （修正有）【課題】鳥類の飛来を防ぐことができる防鳥施設へ、防鳥糸を張設する際、防鳥糸の巻かれたリールが外れない防鳥糸張設器具を提供する。【解決手段】外周に穿設された挿通穴２に着脱自在の目印付きの掛止具３を有する支持棒４と、支持棒４の上方に固定された支持台５とからなる。【選択図】図１
0003209687.tif 000002
【実用新案登録請求の範囲】
【請求項１】
外周に穿設された挿通穴に着脱自在の目印付きの掛止具を有する支持棒と、
前記支持棒の上方に固定された支持台とからなる防鳥糸張設器具。
【考案の詳細な説明】
【技術分野】本考案は、田畑や果樹園等の作物を食害する鳥類等の飛来を防ぐための防鳥施設に、糸を張設する際に使用する防鳥糸張設器具に係るものである。
【背景技術】従来、田畑や果樹園等では、防鳥糸のリールをセットする支持棒はあったが、防鳥糸のリールが支持棒から外れることがあった。
【考案の概要】
【考案が解決しようとする課題】このように、防鳥糸リールが支持棒から外れることがあった。
本考案は、以上の点を考えて創案されたものであり、防鳥糸リールが支持棒から外れない防鳥糸張設器具を提供することを目的とする。
【課題を解決するための手段】  上記の目的を達成するために、本考案の防鳥糸張設器具は、
外周に穿設された挿通穴に着脱自在の目印付きの掛止具を有する支持棒と、前記支持棒の上方に固定された支持台とからなる。
ここで外周に穿設された挿通穴に着脱自在の目印付きの掛止具を有する支持棒と、前記支持棒の上方に固定された支持台により、防鳥糸の巻かれたリールを前記支持棒に挿入してから前記支持台に載せて、前記掛止具を外周に穿設された挿通穴に掛止させると、防鳥糸の巻かれたリールが外れることはない。
また、掛止具には目印がついており、挿通穴から外した後でも見つけ易い。
【考案の効果】  本考案に係る防鳥糸張設器具は、防鳥糸の巻かれたリールを任意に着脱することができる。
また、目印付きの掛止具は見つけ易い。
【図面の簡単な説明】
【図１】本考案の防鳥糸張設器具を示す斜視図である。
【図２】本考案の防鳥糸張設器具から目印付きの掛止具を外した斜視図である。
【図３】図２から防鳥糸の巻かれたリールをセットし、目印付きの掛止具を取り付けた後、防鳥糸を引き出ししている斜視図である。
【考案を実施するための形態】
以下、本考案の実施の形態について図面を参照しながら説明し、本考案の理解に供する。
図１に示すように、本考案の防鳥糸張設器具１は、
外周に穿設された挿通穴２に着脱自在の目印付きの掛止具３を有する支持棒４と、前記支持棒４の上方に固定された支持台５とからなる。
前記支持棒２と前記支持台５の材質は金属製でもよいしグラスファイバー製でもよい。
また、前記支持台５は防鳥糸の巻かれたリール８を載せられればよく、前記支持棒４に一体形成されてもよいが、本例では、前記支持棒４と立体交差させた方向に双方の支柱に穿設した挿通穴にボルト６とナット７で締着されている。
図２に示すように、本考案の防鳥糸張設器具１目印付きの掛止具３を外す。
図３に示すように、図２から防鳥糸の巻かれたリール８をセットし、目印付きの掛止具３を取り付けた後、防鳥糸９を引き出す。目印付きの掛止具３は見つけ易く、また、本考案の防鳥糸張設器具１から防鳥糸の巻かれたリール８が外れることはない。
【符号の説明】  １  防鳥糸張設器具
２  挿通穴
３  目印付きの掛止具
４  支持棒
５  支持台
６  ボルト
７  ナット
８  防鳥糸の巻かれたリール
９  防鳥糸
【図１】
0003209687.tif 000003
【図２】
0003209687.tif 000004
【図３】
0003209687.tif 000005
(57)【要約】      （修正有）【課題】鳥類の飛来を防ぐことができる防鳥施設のうち、防鳥用基部支柱を提供する。【解決手段】長手方向の長さが１メートル５０センチメートル以内の支柱１Ａに、支柱１Ａの先端から上に２５センチメートルから４０センチメートルの間の任意の場所に目印２を有する。【選択図】図１
0003209683.tif 000002
【実用新案登録請求の範囲】
【請求項１】
長手方向の長さが１メートル５０センチメートル以内の支柱に、支柱の先端から上に２５センチメートルから４０センチメートルの間の任意の場所に目印を有する防鳥用基部支柱。
【考案の詳細な説明】
【技術分野】本考案は、田畑や果樹園等の作物を食害する鳥類等の飛来を防ぐための防鳥施設のうち、防鳥用基部支柱に係るものである。
【背景技術】従来、田畑や果樹園等では、一本物の支柱を打ち込み、その支柱の上端付近に防鳥糸を張るものがあるが、支柱の丈が長くなるほど支柱の打ち込みに労力を要していた。
また、支柱の打ち込み深さを一定にするには注意を要し、支柱の打ち込み深さを一定にできないと支柱の上端の高さにもばらつきが生じ、防鳥糸の取り付けの作業性が悪かった。
【考案の概要】
【考案が解決しようとする課題】  このように、支柱の丈が長くなるほど支柱の打ち込みに労力を要していた。
また、支柱の打ち込み深さを一定にするには注意を要し、支柱の打ち込み深さを一定にできないと支柱の上端の高さにもばらつきが生じ、防鳥糸の取り付けの作業性が悪かった。
本考案は、以上の点を考えて創案されたものであり、鳥類の飛来を防ぐことができる防鳥施設のうち、防鳥用基部支柱を提供することを目的とする。
【課題を解決するための手段】  上記の目的を達成するために、本考案の防鳥用基部支柱は、長手方向の長さが１メートル５０センチメートル以内の支柱に、支柱の先端から上に２５センチメートルから４０センチメートルの間の任意の場所に目印を有する。
ここで、長手方向の長さが１メートル５０センチメートル以内の支柱なので、支柱の打ち込みが楽である。
また、支柱の先端から上に２５センチメートルから４０センチメートルの間の任意の場所に目印を有するので、支柱の打ち込み深さを一定にできる。
【考案の効果】  本考案に係る防鳥用基部支柱は、支柱の打ち込みが楽である。
また、打ち込み深さを一定にできる。
【図面の簡単な説明】
【図１】本考案の防鳥用基部支柱を示す斜視図である。
【図２】本考案の防鳥用基部支柱を圃場に打設した斜視図である。
【図３】図２で示した本考案の防鳥用基部支柱の数十メートル先に、本考案の防鳥用基部支柱を追加打設した斜視図である。
【図４】図３で示したものに、防鳥糸を取り付けた延長支柱をセットした斜視図である。
【考案を実施するための形態】
以下、本考案の実施の形態について図面を参照しながら説明し、本考案の理解に供する。
図１に示すように、本考案の防鳥用基部支柱１Ａは打ち込み深さの目印２を有する。目印はテープを貼る、インクでの表示及び支柱自体に凸状の厚みを持たせるなど、目印となればよい。
図２に示すように、本考案の防鳥用基部支柱１Ａを打ち込み深さの目印まで打設する。
図３に示すように、図２で示した本考案の防鳥用基部支柱１Ａの数十メートル先に、本考案の防鳥用基部支柱１Ｂを追加打設する。
図４に示すように、まず防鳥糸３を取り付けた延長支柱４Ａを本考案の防鳥用基部支柱１Ａに挿入する。防鳥糸３の延長支柱４Ａへの取り付け方は紐結びでもよいしテープなどで固着してもよい。
次に防鳥糸３を取り付けた延長支柱４Ｂを本考案の防鳥用基部支柱１Ｂに挿入する。
【符号の説明】１Ａ、１Ｂ  防鳥用基部支柱
２  目印
３  防鳥糸
４Ａ、４Ｂ  延長支柱
【図１】
0003209683.tif 000003
【図２】
0003209683.tif 000004
【図３】
0003209683.tif 000005
【図４】
0003209683.tif 000006
(57)【要約】      （修正有）【課題】鳥類の飛来を防ぐことができる防鳥施設のうち、防鳥用延長支柱を提供する。【解決手段】グラスファイバー製の支柱２Ａと、長さ１センチメートル以上の返し部３Ａを有すると共に、支柱２Ａの上部に水平以上の角度で固定された長さ１０センチメートル以上の受け部材４Ａとから構成される。防鳥糸を簡単に掛けられて、防鳥糸が外れることがない。【選択図】図１
0003209685.tif 000002
【実用新案登録請求の範囲】
【請求項１】
グラスファイバー製の支柱と、
長さ１センチメートル以上の返し部を有すると共に、前記支柱の上部に水平以上の角度で固定された長さ１０センチメートル以上の受け部材とからなる防鳥用延長支柱。
【考案の詳細な説明】
【技術分野】本考案は、田畑や果樹園等の作物を食害する鳥類等の飛来を防ぐための防鳥施設のうち、防鳥用延長支柱に係るものである。
【背景技術】従来、田畑や果樹園等では、支柱の高所に防鳥糸を簡単に支持させることができなかった。
また、支柱が樹脂皮膜鋼管の場合、寒暖により防鳥糸が弛むことがあった。
また、防鳥糸の支柱への取り付け方が悪いと、防鳥糸が支柱から外れることがあった。
【考案の概要】
【考案が解決しようとする課題】  このように、支柱の高所に防鳥糸を簡単に支持させることができなかった。
また、支柱が樹脂皮膜鋼管の場合、寒暖により防鳥糸が弛むことがあった。
また、防鳥糸の支柱への取り付け方が悪いと、防鳥糸が支柱から外れることがあった。
本考案は、以上の点を考えて創案されたものであり、鳥類の飛来を防ぐことができる防鳥施設のうち、防鳥用延長支柱を提供することを目的とする。
【課題を解決するための手段】  上記の目的を達成するために、本考案の防鳥用延長支柱は、グラスファイバー製の支柱と、長さ１センチメートル以上の返し部を有すると共に、前記支柱の上部に水平以上の角度で固定された長さ１０センチメートル以上の受け部材とからなる。
ここで、グラスファイバー製の支柱と、長さ１センチメートル以上の返し部を有すると共に、前記支柱の上部に水平以上の角度で固定された長さ１０センチメートル以上の受け部材に防鳥糸を簡単に掛けられて、掛けた防鳥糸が外れることはない。
また、グラスファイバー製の支柱により、防鳥糸に張力を持たせておくと寒暖により防鳥糸が弛むことがない。
【考案の効果】  本考案に係る防鳥用延長支柱は、防鳥糸を高所となる箇所に簡単に掛けられて、掛けた防鳥糸が外れることはない。
また、防鳥糸に張力を持たせておくと寒暖により防鳥糸が弛むことはない。
【図面の簡単な説明】
【図１】本考案の防鳥用延長支柱を示す斜視図である。
【図２】本考案の防鳥用延長支柱を挿入するためのパイプが圃場の手前と数十メートル先に打設された斜視図である。
【図３】防鳥糸を本考案の防鳥用延長支柱に取り付けたあとに、図２で示した手前のパイプに、本考案の防鳥用延長支柱挿入した斜視図である。
【図４】防鳥糸を本考案の防鳥用延長支柱に取り付けたあとに、図３で示した数十メートル先のパイプに、本考案の防鳥用延長支柱挿入した斜視図である。
【図５】図４で示した数十メートル先の拡大図である。
【考案を実施するための形態】
以下、本考案の実施の形態について図面を参照しながら説明し、本考案の理解に供する。
図１に示すように、本考案の防鳥用延長支柱１Ａはグラスファイバー製の支柱２Ａと、長さ１センチメートル以上の返し部３Ａを有すると共に、前記支柱２の上部に水平以上の角度で固定された長さ１０センチメートル以上の受け部材４Ａとからなるとからなる。
前記返し部３Ａの材料は防鳥糸６にかかる張力に耐える程度のもの、本例では金属線を用いている。固定方法は返しが付けばよく、本例では受け部材４Ａの一端付近を穿設した挿通穴に金属線を通して受け部材４Ａに巻着させて、他端方向を返し部３Ａとしている。
前記受け部材４Ａの前記支柱２Ａ上部への固定方法は、固定できていれでよく、継ぎ金具や継ぎパイプを用いても良いが、本例では前記支柱２Ａと前記受け部材４Ａを立体交差させた方向に双方穿設した挿通穴にボルトとナットで締着させ、かつ、前記支柱２Ａの任意の場所に穿設した挿通穴に金属線を通して支柱２Ａに締着させ、他方の金属線を前記受け部材４Ａの任意の場所に穿設した挿通穴に通して受け部材４Ａに締着させている。
図２に示すように、本考案の防鳥用延長支柱１Ａ、１Ｂを挿入するためのパイプ５Ａ、５Ｂが圃場の手前と数十メートル先に打設する。
図３に示すまでの取り付け手順を説明する。
まず、リール７から防鳥糸６を任意の長さを巻き出して、本考案の防鳥用基部支柱１Ａの任意の部分に取り付ける。取り付け方は紐結びでもよい。
次に、片方の手に防鳥糸６を持ち、他方の手に延長支柱１Ａを持ち、防鳥糸６を前記支柱２Ａと前記返し部３Ａの間に通した後に、手前のパイプ５Ａに本考案の防鳥用延長支柱１Ａを挿入する。
次に、前述したように、防鳥糸６を前記支柱２Ａと前記返し部３Ａの間に通したままの状態で、リール７に巻かれた防鳥糸６を本考案の防鳥用延長支柱１Ｂまで巻き出してゆく。
図４に示すまでの取り付け手順を説明する。
まず、防鳥糸６を持った両手のうち片方の手で本考案の防鳥用基部支柱１Ｂを持ち、防鳥糸６を前記支柱２Ｂと前記返し部３Ｂの間に通した後に、パイプ５Ｂに本考案の防鳥用延長支柱１Ｂを挿入する。今の状態は、防鳥糸６が前記支柱２Ｂと前記返し部３Ｂの間に通されて、片方の手で防鳥糸６を軽く引っ張っているところである。
次に、前述したように、片方の手で防鳥糸６を軽く引っ張っているが、手で引っ張られていないリール側の防鳥糸６を任意の長さに切り、片方の手で持ったままの引っ張られている防鳥糸６を本考案の防鳥用基部支柱１Ｂの任意の部分に張力をかけたままに取り付ける。取り付け方は紐結びでもよい。
図５に示すように、本考案の防鳥用延長支柱１Ｂは本考案の防鳥用延長支柱１Ａの向きとは対称となるようにパイプ５Ｂに挿入するのが望ましい。
【符号の説明】  １Ａ、１Ｂ  防鳥用延長支柱
２Ａ、２Ｂ  支柱
３Ａ、３Ｂ  返し部
４Ａ、４Ｂ  受け部材
５Ａ、５Ｂ  パイプ
６  防鳥糸
７  リール
【図１】
0003209685.tif 000003
【図２】
0003209685.tif 000004
【図３】
0003209685.tif 000005
【図４】
0003209685.tif 000006
【図５】
0003209685.tif 000007
(57)【要約】      （修正有）【課題】鳥類の飛来を防ぐことができる防鳥施設へ、防鳥糸を同時に複数本張設できる防鳥糸張設器具を提供する。【解決手段】第１の支柱２と、第１の支柱と垂直に立体交差して固定された第２の支柱３と、第２の支柱と垂直に立体交差して１本又は複数本固定された第３の支柱４とからなる。防鳥糸の巻かれたリールを複数個、取り付けることができ、複数の防鳥糸を引き出して張設できる。【選択図】図１
0003209686.tif 000002
【実用新案登録請求の範囲】
【請求項１】
第１の支柱と、
前記第１の支柱と垂直に立体交差して固定された第２の支柱と、
前記第２の支柱と垂直に立体交差して１本又は複数本固定された第３の支柱とからなる防鳥糸張設器具。
【考案の詳細な説明】
【技術分野】本考案は、田畑や果樹園等の作物を食害する鳥類等の飛来を防ぐための防鳥施設に、糸を張設する際に使用する防鳥糸張設器具に係るものである。
【背景技術】従来、田畑や果樹園等では、防鳥糸を１本ずつしか張設できなかった。
【考案の概要】
【考案が解決しようとする課題】このように、防鳥糸を１本ずつしか張設できなかった。
本考案は、以上の点を考えて創案されたものであり、防鳥糸を同時に複数本張設できる防鳥糸張設器具を提供することを目的とする。
【課題を解決するための手段】  上記の目的を達成するために、本考案の防鳥糸張設器具は、
第１の支柱と、
前記第１の支柱と垂直に立体交差して固定された第２の支柱と、
前記第２の支柱と所定の間隔で垂直に立体交差した１本又は複数本固定された第３の支柱とからなる。
ここで第１の支柱と、
前記第１の支柱と垂直に立体交差して固定された第２の支柱と、
前記第２の支柱と所定の間隔で垂直に立体交差した１本又は複数本固定された第３の支柱により、防鳥糸の巻かれたリールを複数個取り付けられて、複数の防鳥糸を引き出して張設することができる。
【考案の効果】  本考案に係る防鳥糸張設器具は、防鳥糸の巻かれたリールを複数個取り付けられて、複数の防鳥糸を引き出して張設することができる。
【図面の簡単な説明】
【図１】本考案の防鳥糸張設器具を示す斜視図である。
【図２】本考案の防鳥糸張設器具の一部を拡大した斜視図である。
【図３】本考案の防鳥糸張設器具に防鳥糸の巻かれたリールをセットして、同時に複数の防鳥糸を引き出ししている斜視図である。
【考案を実施するための形態】
以下、本考案の実施の形態について図面を参照しながら説明し、本考案の理解に供する。
図１に示すように、本考案の防鳥糸張設器具１は、
第１の支柱２と、
前記第１の支柱２と垂直に立体交差して固定された第２の支柱３と、
前記第２の支柱３と所定の間隔で垂直に立体交差した１本又は複数本固定された第３の支柱４とからなる。
本例では、第１の支柱２と、
前記第１の支柱２と垂直に立体交差して固定された第２の支柱３と、
前記第２の支柱３と所定の間隔で垂直に立体交差した２本の第３の支柱４とからなる。
また、前記第１の支柱２、前記第２の支柱３及び前記第３の支柱４の材質は金属製でもよいしグラスファイバー製でもよい。
図２に示すように、本考案の防鳥糸張設器具１の前記第１の支柱２、前記第２の支柱３及び前記第３の支柱４の固定方法は、しっかりと取り付けられればよく、本例では立体交差させた方向に双方の支柱に穿設した挿通穴にボルト５とナット６で締着させ、かつ、ボルト５とナット６で締着させた付近に穿設した挿通穴に金属線７を通して各支柱２に締着させたところもある。
図３に示すように、本考案の防鳥糸張設器具１に防鳥糸の巻かれたリール８をセットし、防鳥糸９を同時に３本引き出すことができる。
【符号の説明】１  防鳥糸張設器具
２  第１の支柱
３  第２の支柱
４  第３の支柱
５  ボルト
６  ナット
７  金属線
８  リール
９  防鳥糸
【図１】
0003209686.tif 000003
【図２】
0003209686.tif 000004
【図３】
0003209686.tif 000005
(57)【要約】      （修正有）【課題】鳥類の飛来を防ぐことができる防鳥施設のうち、防鳥用基部支柱を提供する。【解決手段】外周に凸部２Ａを有する支柱３Ａと、開口部４Ａと中空部５Ａを有すると共に、支柱３Ａの頭部６Ａよりも下方に並行して、接続体７Ａにより当接固定された受け部材８Ａとから構成される。受け部材８Ａに延長支柱を挿入できるので、支柱３Ａは長尺でなくて良く、支柱３Ａの打ち込みが楽である。【選択図】図１
0003209684.tif 000002
【実用新案登録請求の範囲】
【請求項１】
外周に凸部を有する支柱と、
開口部と中空部を有すると共に、前記支柱の頭部よりも下方に並行して、
接続体により当接固定された受け部材とからなる防鳥用基部支柱。
【考案の詳細な説明】
【技術分野】本考案は、田畑や果樹園等の作物を食害する鳥類等の飛来を防ぐための防鳥施設のうち、防鳥用基部支柱に係るものである。
【背景技術】従来、田畑や果樹園等では、一本物の支柱を打ち込み、その支柱の上端付近に防鳥糸を張るものがあるが、支柱の丈が長くなるほど支柱の打ち込みに労力を要していた。
また、防鳥糸を２メートル以上の高所に張設する場合、防鳥糸を高所に取り付ける必要があった。
【考案の概要】
【考案が解決しようとする課題】  このように、支柱の丈が長くなるほど支柱の打ち込みに労力を要していた。
また、防鳥糸を２メートル以上の高所に張設する場合、防鳥糸を高所に取り付ける必要があった。
本考案は、以上の点を考えて創案されたものであり、鳥類の飛来を防ぐことができる防鳥施設のうち、防鳥用基部支柱を提供することを目的とする。
【課題を解決するための手段】  上記の目的を達成するために、本考案の防鳥用基部支柱は、外周に凸部を有する支柱と、開口部と中空部を有すると共に、前記支柱の頭部よりも下方に並行して、接続体により当接固定された受け部材とからなる。
ここで、開口部と中空部を有すると共に、前記支柱の頭部よりも下方に並行して、接続体により当接固定された受け部材に延長支柱を挿入できるので、前記支柱は長尺でなくてもよく、よって支柱の打ち込みが楽である。
また、外周に凸部を有する支柱なので、防鳥糸は手元付近の支柱の凸部に取り付けることができる。
【考案の効果】  本考案に係る防鳥用基部支柱は、支柱の打ち込みが楽である。
また、防鳥糸は手元付近の支柱の凸部に取り付けることができる。
【図面の簡単な説明】
【図１】本考案の防鳥用基部支柱を示す斜視図である。
【図２】本考案の防鳥用基部支柱を圃場に打設した斜視図である。
【図３】図２で示した本考案の防鳥用基部支柱の数十メートル先に、本考案の防鳥用基部支柱を追加打設した斜視図である。
【図４】図３で追加打設した本考案の防鳥用基部支柱の拡大図である。
【図５】図３で示したものに、防鳥糸を取り付けた延長支柱をセットした斜視図である。
【図６】図５で示した延長支柱の頭部を拡大した様子である。
【考案を実施するための形態】
以下、本考案の実施の形態について図面を参照しながら説明し、本考案の理解に供する。
図１に示すように、本考案の防鳥用基部支柱１Ａは外周に凸部２Ａを有する支柱３Ａと、開口部４Ａと中空部５Ａを有すると共に、前記支柱３Ａの頭部６Ａよりも下方に並行して、接続体７Ａにより当接固定された受け部材８Ａとからなる。前記支柱３Ａ、前記受け部材８Ａ及び前記凸部２Ａの材質は金属製、塩化ビニール製及びグラスファイバー製でもよく、断面の形は問わない。
図２に示すように、本考案の防鳥用基部支柱１Ａを任意の場所へ任意の深さまで打設する。
図３に示すように、図２で示した本考案の防鳥用基部支柱１Ａの数十メートル先に、本考案の防鳥用基部支柱１Ｂを追加打設する。
図４に示すように、追加打設した本考案の防鳥用基部支柱１Ｂは本考案の防鳥用基部支柱１Ａの向きとは対称となるように打設するのが望ましい。
次に図５になるまでの取り付け手順を説明する。
まず、リール９から防鳥糸１０を任意の長さを巻き出して、本考案の防鳥用基部支柱１Ａの凸部２Ａに取り付ける。取り付け方は紐結びでもよい。
次に、片方の手に防鳥糸１０を持ち、他方の手に延長支柱１１Ａを持ち、図６に示すように延長支柱１１Ａの溝部１２Ａに防鳥糸１０を引っ掛ける。
次に、防鳥糸１０を延長支柱１１Ａの溝部１２Ａに引っ掛けたままの状態で、延長支柱１１Ａを本考案の防鳥用基部支柱１Ａの受け部材８Ａに挿入する。
次に、リール９に巻かれた防鳥糸１０を本考案の防鳥用基部支柱１Ｂまで巻き出してゆく。
次に、片方の手に延長支柱１１Ｂを持ち、延長支柱１１Ｂの溝部１２Ｂに防鳥糸１０を引っ掛ける。
次に、防鳥糸１０を延長支柱１１Ｂの溝部１２Ｂに引っ掛けたままの状態で、延長支柱１１Ｂを本考案の防鳥用基部支柱１Ｂの受け部材８Ｂに挿入する。この時、片方の手は防鳥糸１０を持ち、他方の手はリール９を持った状態である。
次に、他方の手に持ったリール９を地面などの下に置き、ハサミに持ち替えて防鳥糸１０を任意のところで切る。
次に、手に持っている防鳥糸１０を本考案の防鳥用基部支柱１１Ｂの凸部２Ｂに取り付ける。取り付け方は紐結びでもよい。
【符号の説明】  １Ａ、１Ｂ  防鳥用基部支柱
２Ａ、２Ｂ  凸部
３Ａ  支柱
４Ａ  開口部
５Ａ  中空部
６Ａ  支柱の頭部
７Ａ  接続体
８Ａ、８Ｂ  受け部材
９  リール
１０  防鳥糸
１１Ａ、１１Ｂ  延長支柱
１２Ａ、１２Ｂ  溝部
【図１】
0003209684.tif 000003
【図２】
0003209684.tif 000004
【図３】
0003209684.tif 000005
【図４】
0003209684.tif 000006
【図５】
0003209684.tif 000007
【図６】
0003209684.tif 000008
(57)【要約】      （修正有）【課題】箱状のストッカーに積層して収納された新聞紙の底に位置する新聞紙を簡単に取り出すことができる新聞ストッカーを提供する。【解決手段】上面が開いた直方体の箱であるストッカーの側壁３の底面２から近く低い位置に側壁３の辺に沿って取出口８を形成した。取出口８は底面２に積層された４つ折り新聞紙の長辺と同じかやや長いサイズの長さでその側壁３の長辺の長さとほぼ同じかやや長いサイズに設定されている。【選択図】図１
0003209700.tif 000002
【実用新案登録請求の範囲】
【請求項１】
底面が四角形で４つの側壁を有し、上面が開いた箱状の新聞ストッカーであって、上記側壁の最も低い位置に、積層された新聞紙の取出口を備えている下から取れる新聞ストッカー。
【考案の詳細な説明】
【技術分野】
【０００１】  この考案は、新聞紙、雑誌などを収納する新聞ストッカーに関する。
【背景技術】
【０００２】  この種の新聞ストッカーとしては、従来、例えば特許文献１に記載された新聞紙収納容器が知られている。【０００３】  このものは、積み重ねて収納した新聞紙を、そのままの状態で簡単に縛ることができ、容易に取り出すことができる新聞紙収納容器である。すなわち、上部が開口したボックスである収納容器本体にあって、その底面から所定高さ位置に載置用の棚を形成してある。棚と底面との間の空間に紐が挿入配置されており、新聞紙が所定高さまで積層されたとき、この紐で新聞紙全体を縛り、これを持ち出すことができる。
【先行技術文献】
【特許文献】
【０００４】
【特許文献１】特開平８−１６９４１４号公報
【０００５】
【考案の概要】
【考案が解決しようとする課題】
【０００６】  この考案が解決しようとする問題点は、従来の新聞紙収納容器では先入れ後出し方式であり、古い新聞紙を取り出すには、収納したすべての新聞紙を容器から一度取り出し、目的の新聞紙を取り除いた後、取り出した新聞紙を再度収納容器に投入しなければならず、かなりの時間と手間がかかっていた。
【課題を解決するための手段】
【０００７】  本発明は、先入れ先出しを可能とした新聞紙ストッカーを提供することを最も主要な特徴とする。具体的には、底面が四角形で４つの側壁を有し、上面が開いた箱状の新聞ストッカーであって、側壁の最も低い位置に、積層された新聞紙の取出口を備えている下から取れる新聞ストッカーを提供するものである。
【考案の効果】
【０００８】  本考案の新聞ストッカーでは、新聞ストッカー内での最下部に位置する古い新聞紙を側壁の最下部に形成した取出口から簡単にかつスピーディーに取り出すことができるという利点がある。この場合、残りの積層された新聞紙はそのままの状態で新聞ストッカーに収納されている。
【図面の簡単な説明】
【０００９】
【図１】この考案の実施例に係る下から取れる新聞ストッカー示した斜視図である。
【考案を実施するための形態】
【００１０】    以下、この考案の実施例について図面を用いて説明する。
【実施例１】
【００１１】  図１は、この発明の実施例１に係る新聞ストッカーの斜視図である。図１において、１は新聞ストッカーを示す。この新聞ストッカー１は所定の広さで所定高さの箱状であり、例えば段ボール、プラスチック（ポリプロピレンなど）などで作製されている。新聞ストッカー１は、底面２が４角形（長方形）であり、その長短各辺には４つの側壁３，４，５，６が起立して設けられている。この箱１の上面は４角形の開口７となっており、開口７から新聞紙を箱１の内部に投入可能となっている。
底面２の縦辺、横辺の長さは新聞紙（日刊紙）を４つ折りに折り畳んだ場合の縦横の長さよりわずかに大きいサイズとされている。また、４つの側壁３，４，５，６の高さはいずれも例えば３０ｃｍ程度とされている。【００１２】  ここで、上記側壁３，４，５，６のうちの一つの側壁３であって、底面２に近接した高さ位置には、細長い長方形の取出口８が形成されている。取出口８のサイズは、その縦の長さは底面の長辺とほぼ同じ例えば３０ｃｍで、その横の長さは取り出し易さを考慮して５ｃｍ程度とされている。
なお、取出口８の形状は長方形に限られず、例えば長方形の中間部に半円形の幅広部を設ける形状であってもよい。また。底面２の一対の短辺から起立した側壁４，６の上端部にはその上端部がこの箱１を持ち運ぶための取っ手となる一対の長孔をそれぞれ形成してもよい。さらに、取出口にこの取出口を開閉する蓋を取り付けることもできる。例えば側壁の外面に沿ってスライドする蓋板を配備するなどである。【００１３】  次に、このような構成の新聞ストッカーについての使用方法について説明する。まず空の状態の新聞ストッカーに新聞紙を投入する。すなわち、新聞紙を４つ折りにして開口７から底面２の上に載置する。次々と、このように４つ折りの新聞紙を投入することで新聞ストッカー１には新聞紙が積層されることとなる。例えば３０日分の新聞紙を投入し、底面２に積層した場合、箱１内には側壁の高さと同じだけの新聞紙が積層されていることとなる。
ここで、最初に投入した新聞または２日目に投入した新聞を引き出したい場合、取出口８からその新聞紙を引き出すこととなる。この場合、取出口８は新聞紙の４つ折り幅と同じか少し大きいため、容易にその新聞紙のみを取り出すことができる。もちろん、新聞紙は１部だけではなく２部を同時につまみ出すこともできる。そして、その他の新聞紙は積層された状態を維持できるため、従来のように取り出した新聞紙を再度投入するという手間はなくなる。つまり、古い新聞紙を簡単、容易に下から取り出すことができるのである。
【産業上の利用可能性】
【００１４】  新聞紙や雑誌などを収納する容器の他にも、例えば薄板状の物品である単行本やＣＤラックなどの各種物品の収納容器にも適用できる。
【符号の説明】
【００１５】１    新聞ストッカー、
２    底面（底壁）、
３，４，５，６    側壁、
７    上面の開口、
８    取出口。
【図１】
0003209700.tif 000003
(57)【要約】      （修正有）【課題】電気ブレーカーの電源レバーが遮断した場合に、脚立や椅子などの足台を必要とすることなく、また、電気に不安を感じることなく、誰でも電源レバーの復帰を迅速に行うことができる電気ブレーカーの操作具を提供する。【解決手段】適宜長さの支持棒１の先端に、電気ブレーカー３の電源レバー４を受け入れる透孔５と電源レバー４を支持する凹部形状の支持部６を設ける。【選択図】図２
0003209696.tif 000002
【実用新案登録請求の範囲】
【請求項１】
適宜長さの支持棒の先端に、電機ブレーカーの電源レバーを受け入れる透孔及び電源レバーを持ち上げる支持部からなる操作部を有することを特徴とするブレーカーの操作具。
【請求項２】
前記支持部が凹部形状であることを特徴とする請求項１に記載のブレーカーの操作具
【請求項３】
前記操作部を非電導部材で構成したことを特徴とする請求項１又は２に記載のブレーカーの操作具。
【請求項４】
前記支持棒を非電動部材で構成したことを特徴とする請求項１〜３に記載のブレーカー操作具。
【考案の詳細な説明】
【技術分野】
【０００１】
本考案は、電気ブレーカーの操作具、詳しくは、電気ブレーカーの電源レバーの操作具に関する。
【背景技術】
【０００２】
従来、家庭や工場等において電気配線に流せる電流値はそれぞれ決められており、電気配線、電気器具などの異常によって決められた以上の電流が流れるとヒューズや電気ブレーカー等の電流遮断器によって電流を遮断して火災などの事故を防止し安全の確保を図っている（特許文献１）。
【０００３】
前記電気ブレーカー（以下単に「ブレーカー」と言う。）は、不用意に操作されることがないように、また通常は操作する必要がないために一般に床面より高所の天井近くに設けられている。したがって、操作の必要が生じた場合には手が届かず脚立や椅子などの足台を必要とする場合があった。また、手による直接操作に不安を感ずる場合があった。
【先行技術文献】
【特許文献】
【０００４】
【特許文献１】実開平６−４４３４０号公報
【考案の概要】
【考案が解決しようとする課題】
【０００５】
本考案は、電気配線、電気器具に異常が生じ、決められた電流値以上の電流が流れてブレーカーが遮断した場合に、脚立や椅子などの足台を必要とすることなく、また、電気に不安を感ずることなく誰でも電源レバーの復帰などを迅速に行うことができるブレーカーの操作具を提供することを目的とする。
【課題を解決するための手段】
【０００６】
前記課題を解決するため、本考案のブレーカー操作具は、適宜長さの支持棒の先端に、ブレーカーの電源レバーを受け入れる透孔と電源レバーを持ち上げる支持部からなる操作部を有することを特徴とする（請求項１）。上記構成の本考案によれば、ブレーカー操作の必要が生じた場合には、操作者が支持棒を持ってその先端に設けられた操作部の透孔あるいは支持部をブレーカーの電源レバーに適合させて上下動操作すればよい。一般的には、透孔を用いてブレーカーの電源レバーを下げて電源を落とし、電力を復旧させたい場合には、支持部を用いて電源レバーを持ち上げる。上記構成によれば、脚立や椅子などの足台を用意する必要がなく、電気に不安を感ずることなく電源レバーを操作することができる。
本考案の好ましい実施の一形態は、前記支持部が凹部形状であることを特徴とする（請求項２）。
【０００７】
この実施の一形態によれば、ブレーカーの電源レバーを凹部形状でない場合に比べて確実に、簡単に押し上げることができる。
【０００８】
本考案の好ましい実施の一形態は、前記操作部を非電導部材で構成したことを特徴とする（請求項３）。この実施の一形態によれば、電源レバーの操作に限らず近隣の通電機材に操作部が接触しても支持棒には電流が伝わることがなく安全かつ安心である。
【０００９】
本考案の好ましい実施の一形態は、前記支持棒を非電導部材で構成したことを特徴とする（請求項４）。この実施の一形態によれば、電源レバーの操作に限らず近隣の通電機材に操作部が接触しても支持棒には電流が伝わることがなく安全かつ安心である。
【考案の効果】
【００１０】
本考案によれば、ブレーカー操作の必要が生じた場合には、脚立や椅子などの足台を用意する必要がなく、電気に不安を感ずることなく電源レバーを操作することができる。
【図面の簡単な説明】
【００１１】
【図１】本考案の実施の一形態に係るブレーカーの操作具の斜視図である。
【図２】本考案の実施の一形態に係るブレーカーの操作具の使用状態の斜視図である。
【考案を実施するための形態】
【００１２】
以下に、添付図面を参照して、本考案を実施するための最良の形態について説明する。
【００１３】
本考案のブレーカーの操作具Ｓは、支持棒１と操作部２によって構成される。該支持棒１及び操作部２の素材は問わず、金属でもよいがポリプロピレンや塩化ビニルなどのプラスチック等の非電導部材で構成することが軽量化の点においても好ましい。また、少なくとも、支持棒１あるいは操作部２の一方を非電導素材とすることが好ましい。図中、３はブレーカー、４は電源レバーである。
【００１４】
図面実施例では、前記操作部２は略Ｖ字状に形成され、その略中央部にブレーカー３の電源レバー４を受け入れる透孔５が設けられ、上部に電源レバー４を持ち上げる支持部６が凹部形状で形成されている。前記透孔５は前記電源レバー４の上下操作に使用される。また、前記支持部６は前記電源レバー４の上方への操作に使用される。
【００１５】
なお、前記操作部２は支持棒１の先端に接着、その他、適宜の方法で固定される、もっとも、前記操作部２及び支持棒１は、プラスチックで一体成形することもできる。また、前記操作部２及び支持棒１は、金型を使って板状の金属を使って打ち抜いていくいわゆるプレス加工で一体成形することもできる。
【００１６】
また、電源レバー４を持ち上げる支持部６は、凹部形状でなくてもよく、電源レバー４を持ち上げてレバーを上げることができればよい。
【００１７】
前記構成の操作具Ｓは、電気配線、電気器具に異常が生じ、ブレーカー３の電源レバー４が遮断した場合に使用される。図２に示すように、操作者が前記支持棒１を把持して先端の操作部２をブレーカー３の電源レバー４に近づけて該電源レバー４に操作部２の透孔５あるいは支持部６を適合させて上下動操作を行えばよい。一般的には、透孔５を用いてブレーカー３の電源レバー４を下げて電源を落とし、電力を復旧させたい場合には、支持部６を用いて電源レバー４を持ち上げる。
【００１８】
したがって、脚立や椅子などの足台を必要とすることなく、また、電気に不安を感ずることなく、電源レバーの４の復帰操作などを迅速に行うことができる。
【符号の説明】
【００１９】
１  支持棒
２  操作部
３  電機ブレーカー
４  電源レバー
５  透孔
６  支持部
【図１】
0003209696.tif 000003
【図２】
0003209696.tif 000004